(57)【要約】      （修正有）【課題】無線LANの回線接続パラメータ設定をBLE経由で行う場合に、無線通信装置間でBLEの通信経路が確立しているか否かを視覚的に確認可能な形態で実行可能な接続設定方式を提供する。【解決手段】第１の無線通信装置１０は、第１の無線通信方式の第１の無線通信手段１２、第２の無線通信方式の第２の無線通信手段１３、筐体１１及び筐体から外部に向かって延びて第１の無線通信手段と筐体内の回路とを電気的に接続するケーブル１５を備える。第１の無線通信手段間を第１の通信経路３１とし、第２の無線通信手段間を第２の通信経路３２とする。ケーブルに接続された第１の無線通信手段と、第２の無線通信装置２０の第１の無線通信手段とが互いの通信圏内に入ったことに応じて、第１の通信経路を確立し、これに応じて、第２の通信経路を介した通信を実行不可能な状態から実行可能な状態に移行する。【選択図】図２
2018133771.tif 000002
【特許請求の範囲】
【請求項１】
第１の無線通信方式に従って無線通信を行うための第１の無線通信手段、
前記第１の無線通信方式とは異なる第２の無線通信方式に従って無線通信を行うための無線通信手段であって、前記第１の無線通信手段よりも通信圏が広い第２の無線通信手段、
筐体、及び、
前記筐体から外部に向かって延びて、前記第１の無線通信手段の少なくともアンテナを含む一部乃至全部と、前記筐体内の回路とを電気的に接続するケーブル
を備え、
前記第１の無線通信手段と、当該他の無線通信装置が備える前記第１の無線通信手段との間に確立される通信経路を第１の通信経路と呼び、前記第２の無線通信手段と、前記他の無線通信装置が備える前記第２の無線通信手段との間に確立される通信経路を第２の通信経路と呼ぶとき、
前記ケーブルに接続された前記第１の無線通信手段の一部乃至全部と、前記他の無線通信装置が備える前記第１の無線通信手段とが互いの通信圏内に入ったことに応じて、前記第１の通信経路を確立し、
前記第１の通信経路の確立に応じて、前記第２の通信経路を介した通信を実行不可能な状態から実行可能な状態に移行する
無線通信装置。
【請求項２】
確立した前記第１の通信経路の解放に応じて、前記第２の通信経路を介した通信を実行不可能な状態に移行する
請求項１に記載の無線通信装置。
【請求項３】
前記第２の通信経路を介した通信を実行可能な状態は、前記第２の通信経路を確立し、かつ、前記第２の通信経路を介した通信を許可する状態であり、
前記第２の通信経路を介した通信を実行不可能な状態は、前記第２の通信経路を確立し、かつ、前記第２の通信経路を介した通信を制限する状態である、
請求項１または請求項２に記載の無線通信装置。
【請求項４】
前記第２の通信経路を介した通信を実行可能な状態は、前記第２の通信経路を確立した状態であり、
前記第２の通信経路を介した通信を実行不可能な状態は、前記第２の通信経路を解放した状態である、
請求項１または請求項２に記載の無線通信装置。
【請求項５】
前記第１の無線通信手段は、前記確立した第１の通信経路を介して、前記第２の通信経路を確立するための設定情報を、前記他の無線通信装置との間で送信或いは受信し、
前記第２の無線通信手段は、前記送信或いは受信した設定情報に基づいて、前記他の無線通信装置との間に前記第２の通信経路を確立する
請求項４に記載の無線通信装置。
【請求項６】
前記設定情報は認証のために用いる情報である認証情報を含み、
前記第１の通信経路の確立に先立って認証が行われることなく、かつ、前記第２の通信経路の確立に先立って、前記認証情報に基づく認証が行われる、請求項５に記載の無線通信装置。
【請求項７】
前記第１の無線通信手段は、前記確立した第１の通信経路を介して、前記他の無線通信装置から前記設定情報を受信し、
前記第２の無線通信手段は、前記受信した設定情報に基づいて、前記他の無線通信装置の前記第２の無線通信手段に対し、接続要求を送信する
請求項５または請求項６に記載の無線通信装置。
【請求項８】
第１及び第２の無線通信装置を備え、
前記第１の無線通信装置は、
第１の無線通信方式に従って無線通信を行うための第１の無線通信手段、
前記第１の無線通信方式とは異なる第２の無線通信方式に従って無線通信を行うための無線通信手段であって、前記第１の無線通信手段よりも通信圏が広い第２の無線通信手段、
筐体、及び、
前記筐体から外部に向かって延びて、前記第１の無線通信手段の少なくともアンテナを含む一部乃至全部と、前記筐体内の回路とを電気的に接続するケーブル
を備え、
前記第２の無線通信装置は、前記第１の無線通信手段及び前記第２の無線通信手段を備え、
前記第１の無線通信装置の前記第１の無線通信手段と、前記第２の無線通信装置の前記第１の無線通信手段との間に確立される通信経路を第１の通信経路と呼び、前記第１の無線通信装置の前記第２の無線通信手段と、前記第２の無線通信装置の前記第２の無線通信手段との間に確立される通信経路を第２の通信経路と呼ぶとき、
前記第１の無線通信装置において前記ケーブルに接続された前記第１の無線通信手段の一部乃至全部と、前記第２の無線通信装置の前記第１の無線通信手段とが互いの通信圏内に入ったことに応じて、前記第１の通信経路を確立し、
前記第１の通信経路の確立に応じて、前記第２の通信経路を介した通信を実行可能な状態に移行する
無線通信システム。
【請求項９】
第１の無線通信装置と第２の無線通信装置の間で無線通信を行う無線通信方法において、
前記第１の無線通信装置は、
第１の無線通信方式に従って無線通信を行うための第１の無線通信手段、
前記第１の無線通信方式とは異なる第２の無線通信方式に従って無線通信を行うための無線通信手段であって、前記第１の無線通信手段よりも通信圏が広い第２の無線通信手段、
筐体、及び、
前記筐体から外部に向かって延びて、前記第１の無線通信手段の少なくともアンテナを含む一部乃至全部と、前記筐体内の回路とを電気的に接続するケーブル
を備え、
前記第２の無線通信装置は、前記第１の無線通信手段及び前記第２の無線通信手段を備え、
前記第１の無線通信装置の前記第１の無線通信手段と、前記第２の無線通信装置の前記第１の無線通信手段との間に確立される通信経路を第１の通信経路と呼び、前記第１の無線通信装置の前記第２の無線通信手段と、前記第２の無線通信装置の前記第２の無線通信手段との間に確立される通信経路を第２の通信経路と呼ぶとき、
前記第１の無線通信装置において前記ケーブルに接続された前記第１の無線通信手段の一部乃至全部と、前記第２の無線通信装置の前記第１の無線通信手段とが互いの通信圏内に入ったことに応じて、前記第１の通信経路を確立する段階、及び、
前記第１の通信経路の確立に応じて、前記第２の通信経路を介した通信を実行可能な状態に移行する段階
を含む、無線通信方法。
【請求項１０】
第１の無線通信方式に従って無線通信を行うための第１の無線通信手段、
前記第１の無線通信方式とは異なる第２の無線通信方式に従って無線通信を行うための無線通信手段であって、前記第１の無線通信手段よりも通信圏が広い第２の無線通信手段、
筐体、及び、
前記筐体から外部に向かって延びて、前記第１の無線通信手段の少なくともアンテナを含む一部乃至全部と、前記筐体内の回路とを電気的に接続するケーブル
を備える無線通信装置の処理装置に、
前記第１の無線通信手段と、当該他の無線通信装置が備える前記第１の無線通信手段との間に確立される通信経路を第１の通信経路と呼び、前記第２の無線通信手段と、前記他の無線通信装置が備える前記第２の無線通信手段との間に確立される通信経路を第２の通信経路と呼ぶとき、
前記ケーブルに接続された前記第１の無線通信手段の一部乃至全部と、前記他の無線通信装置が備える前記第１の無線通信手段とが互いの通信圏内に入ったことに応じて、前記第１の通信経路を確立する手順、及び、
前記第１の通信経路の確立に応じて、前記第２の通信経路を介した通信を実行可能な状態に移行する手順
を実行させるプログラム。
【発明の詳細な説明】
【技術分野】
【０００１】
本発明は、２つの機器間で直接に無線通信を行うポイントツーポイントの無線通信に関する。
【背景技術】
【０００２】
２つの機器の間を接続するポイントツーポイントの接続経路を確立する通信方式には大別して有線通信と無線通信とがある。有線通信では、機器間をケーブルで接続する際、ケーブル先端に設けたコネクタを、対応する所定のコネクタに正しい向きで装着しなければならないことが多い。このため、機器の取り扱いに不慣れな者や、老人、子供、身体障害者等の機器の取り扱いに困難がある者にとって接続の確立が困難なことがある。
【０００３】
一方で、近年、無線LAN(Local Area Network)やBluetooth（登録商標）などの無線通信が広く普及し、機器間の通信に用いられている。無線通信では、ケーブル接続に伴う煩雑さを解消することができる。しかし、無線接続を確立するための設定作業が煩雑なため、機器の取り扱いに不慣れな者には接続の確立が困難である。
【０００４】
設定作業の煩雑さを軽減するため、互いに無線通信を行う機器のそれぞれに、例えば非接触ICのような近距離無線通信手段と、通信方式が異なる別の無線通信手段、例えば無線LANインタフェース装置との両方を設けるシステムがある。この種のシステムでは、近距離無線通信手段にて無線LAN通信のための設定情報を転送し、無線LANによる通信経路を確立する。
【０００５】
特許文献１は、スマートフォンと通信範囲制限装置の両方に、無線LAN通信部とBLE (Bluetooth Low Energy)通信部とを設けるものを開示している。例えば同文献の第００４１−００４３段落によれば、まず、スマートフォンがBLE通信エリア内に移動すると、BLE通信のペアリングを行う。次に、BLE通信を介して、無線LAN通信を行うためのPIN(Personal Identification Number)コードを通信範囲制限装置から受信する。そして、受信したPINコードを用いて、スマートフォンと通信範囲制限装置が無線LAN通信を行う。
【先行技術文献】
【特許文献】
【０００６】
【特許文献１】特開２０１６−０８２５７６号公報
【発明の概要】
【発明が解決しようとする課題】
【０００７】
特許文献１のシステムでは、無線LAN通信が可能な状況にあるのか否か、或いは、無線LAN通信を現に行っている状態にあるのか否かを、視覚的に区別することが困難である。例えば、スマートフォンと通信範囲制限装置との間の距離が、BLE通信の圏内にぎりぎり入っていない状況を状況Aとし、BLE通信の圏内にぎりぎり入っている状況を状況Bとする。状況Aと状況Bとを比較すると、スマートフォンと通信範囲制限装置との間の距離の違いはわずかであり、一見しただけではBLE通信が可能か否かを識別することができない。従って、無線LAN通信が可能か否かを識別することもできない。
【０００８】
このように、無線通信の通信経路を確立可能な状況にあるか否かを、視覚上では区別することができないことは、単に２つの機器を互いに接続する場合に問題になるだけではなく、ある機器を、複数機器のいずれか一台に選択的に無線接続する際にも問題となる。
【０００９】
ここで、上述の一方の機器を機器Cとし、複数存在する機器を機器D1、D2、…、Dnとする（nは２以上の自然数）。機器Cと機器D1〜Dnのそれぞれとの間で無線LAN接続を確立する際に、特許文献１と同様にBLE通信を用いるものとする。機器D1〜Dnは一か所にまとまって並んでいるものとする。
【００１０】
このとき、機器D1〜Dnには、機器CとのBLE通信が可能な圏内にあるものと圏外にあるものが混在した状況が起こり得る。このような状況にあるとき、機器D1〜Dnのうちどれが機器Cと無線LAN接続可能なのか、また、現に無線LAN接続をしているのはどれなのかを一瞥して区別するのは難しい。
【００１１】
本発明はこのような状況を鑑みてなされたものであり、本発明が解決しようとする課題は、無線通信装置間で通信経路が確立しているか否かを視覚的に提示可能な技術を提供することである。
【課題を解決するための手段】
【００１２】
上述の課題を解決するため、本発明は、その一態様として、第１の無線通信方式に従って無線通信を行うための第１の無線通信手段、前記第１の無線通信方式とは異なる第２の無線通信方式に従って無線通信を行うための無線通信手段であって、前記第１の無線通信手段よりも通信圏が広い第２の無線通信手段、筐体、及び、前記筐体から外部に向かって延びて、前記第１の無線通信手段の少なくともアンテナを含む一部乃至全部と、前記筐体内の回路とを電気的に接続するケーブルを備え、前記第１の無線通信手段と、当該他の無線通信装置が備える前記第１の無線通信手段との間に確立される通信経路を第１の通信経路と呼び、前記第２の無線通信手段と、前記他の無線通信装置が備える前記第２の無線通信手段との間に確立される通信経路を第２の通信経路と呼ぶとき、前記ケーブルに接続された前記第１の無線通信手段の一部乃至全部と、前記他の無線通信装置が備える前記第１の無線通信手段とが互いの通信圏内に入ったことに応じて、前記第１の通信経路を確立し、前記第１の通信経路の確立に応じて、前記第２の通信経路を介した通信を実行不可能な状態から実行可能な状態に移行する無線通信装置を提供する。
【００１３】
また、本発明は、他の一態様として、第１及び第２の無線通信装置を備え、前記第１の無線通信装置は、第１の無線通信方式に従って無線通信を行うための第１の無線通信手段、前記第１の無線通信方式とは異なる第２の無線通信方式に従って無線通信を行うための無線通信手段であって、前記第１の無線通信手段よりも通信圏が広い第２の無線通信手段、筐体、及び、前記筐体から外部に向かって延びて、前記第１の無線通信手段の少なくともアンテナを含む一部乃至全部と、前記筐体内の回路とを電気的に接続するケーブルを備え、前記第２の無線通信装置は、前記第１の無線通信手段及び前記第２の無線通信手段を備え、前記第１の無線通信装置の前記第１の無線通信手段と、前記第２の無線通信装置の前記第１の無線通信手段との間に確立される通信経路を第１の通信経路と呼び、前記第１の無線通信装置の前記第２の無線通信手段と、前記第２の無線通信装置の前記第２の無線通信手段との間に確立される通信経路を第２の通信経路と呼ぶとき、前記第１の無線通信装置において前記ケーブルに接続された前記第１の無線通信手段の一部乃至全部と、前記第２の無線通信装置の前記第１の無線通信手段とが互いの通信圏内に入ったことに応じて、前記第１の通信経路を確立し、前記第１の通信経路の確立に応じて、前記第２の通信経路を介した通信を実行可能な状態に移行する無線通信システムを提供する。
【００１４】
また、本発明は、他の一態様として、第１の無線通信装置と第２の無線通信装置の間で無線通信を行う無線通信方法において、前記第１の無線通信装置は、第１の無線通信方式に従って無線通信を行うための第１の無線通信手段、前記第１の無線通信方式とは異なる第２の無線通信方式に従って無線通信を行うための無線通信手段であって、前記第１の無線通信手段よりも通信圏が広い第２の無線通信手段、筐体、及び、前記筐体から外部に向かって延びて、前記第１の無線通信手段の少なくともアンテナを含む一部乃至全部と、前記筐体内の回路とを電気的に接続するケーブルを備え、前記第２の無線通信装置は、前記第１の無線通信手段及び前記第２の無線通信手段を備え、前記第１の無線通信装置の前記第１の無線通信手段と、前記第２の無線通信装置の前記第１の無線通信手段との間に確立される通信経路を第１の通信経路と呼び、前記第１の無線通信装置の前記第２の無線通信手段と、前記第２の無線通信装置の前記第２の無線通信手段との間に確立される通信経路を第２の通信経路と呼ぶとき、前記第１の無線通信装置において前記ケーブルに接続された前記第１の無線通信手段の一部乃至全部と、前記第２の無線通信装置の前記第１の無線通信手段とが互いの通信圏内に入ったことに応じて、前記第１の通信経路を確立する段階、及び、前記第１の通信経路の確立に応じて、前記第２の通信経路を介した通信を実行可能な状態に移行する段階を含む、無線通信方法を提供する。
【００１５】
また、本発明は、他の一態様として、第１の無線通信方式に従って無線通信を行うための第１の無線通信手段、前記第１の無線通信方式とは異なる第２の無線通信方式に従って無線通信を行うための無線通信手段であって、前記第１の無線通信手段よりも通信圏が広い第２の無線通信手段、筐体、及び、前記筐体から外部に向かって延びて、前記第１の無線通信手段の少なくともアンテナを含む一部乃至全部と、前記筐体内の回路とを電気的に接続するケーブルを備える無線通信装置の処理装置に、前記第１の無線通信手段と、当該他の無線通信装置が備える前記第１の無線通信手段との間に確立される通信経路を第１の通信経路と呼び、前記第２の無線通信手段と、前記他の無線通信装置が備える前記第２の無線通信手段との間に確立される通信経路を第２の通信経路と呼ぶとき、前記ケーブルに接続された前記第１の無線通信手段の一部乃至全部と、前記他の無線通信装置が備える前記第１の無線通信手段とが互いの通信圏内に入ったことに応じて、前記第１の通信経路を確立する手順、及び、前記第１の通信経路の確立に応じて、前記第２の通信経路を介した通信を実行可能な状態に移行する手順を実行させるプログラムを提供する。
【発明の効果】
【００１６】
本発明によれば、第１の無線通信手段の位置及びケーブルが延びる方向として、無線通信装置間で通信経路が確立しているか否かを視覚的に提示することができる。
【図面の簡単な説明】
【００１７】
【図１】本発明の一実施の形態である無線通信システム１の模式図である。
【図２】無線通信システム１のブロック図である。
【図３】無線通信システム１の動作を説明するためのフローチャートである。
【図４】無線通信システム１の一変形である無線通信システム２のブロック図である。
【図５】無線通信システム２の動作を説明するためのフローチャートである。
【図６】無線通信システム１の一変形である無線通信システム４０のブロック図であり、第２の無線通信装置２０−１が第１の無線通信部１２に最も近い位置関係にある状況を示す図である。
【図７】無線通信システム１の一変形である無線通信システム４０のブロック図であり、第２の無線通信装置２０−２が第１の無線通信部１２に最も近い位置関係にある状況を示す図である。
【図８】無線通信システム１の一変形である無線通信システム５０のブロック図である。
【発明を実施するための形態】
【００１８】
本発明の一実施の形態である無線通信システム１について説明する。図１を参照すると、無線通信システム１は２つの無線通信装置、第１の無線通信装置１０、第２の無線通信装置２０からなる。
【００１９】
第１の無線通信装置１０、第２の無線通信装置２０は、互いにポイントツーポイントの無線通信を行う。後述するように、第１の無線通信装置１０、第２の無線通信装置２０は、どちらも、互いに異なる通信方式に従って無線通信を行う複数の無線通信I/F（インタフェース）を備えるものであればよい。第１の無線通信装置１０、第２の無線通信装置２０の一方或いは両方が、デスクトップコンピュータ、ラップトップコンピュータ、ワークステーション、PDA (Personal Data Assistant)、スマートフォン等の携帯電話端末といった情報処理装置であってもよい。或いは、第１の無線通信装置１０、第２の無線通信装置２０の一方或いは両方が、キーボード、マウス、スキャナ、プリンタといった周辺機器であってもよい。
【００２０】
図２に示すように、第１の無線通信装置１０は、筐体１１、第１の無線通信部１２、第２の無線通信部１３、制御部１４、ケーブル１５を備える。第２の無線通信装置２０は、筐体２１、第１の無線通信部２２、第２の無線通信部２３、制御部２４を備える。
【００２１】
第１の無線通信装置１０の各部について説明する。筐体１１は第２の無線通信部１３、制御部１４を含む装置の各部を収容する筐体である。ただし、ケーブル１５の大部分は筐体１１の外に延びている。また、第１の無線通信部１２はケーブル１５の先端に接続され、筐体１１の内部に収容されていない。
【００２２】
尚、第１の無線通信部１２は、ケーブル１５に接続された状態で筐体１１の外に出すことが可能であればよい。このため、例えば、第1の無線通信部１２を収容するための空間を収容部と、ケーブル１５の巻き取り機構とを筐体１１の内部に設けて、第1の無線通信部１２を筐体１１から出し入れ可能としてもよい。第1の無線通信部１２を筐体１１の内部から外部に取り出すとき、巻き取り機構からケーブル１５が延びるように構成する。逆に、筐体１１の外部から内部に第１の無線通信部１２を収容するときには、ケーブル１５を巻き取り機構に巻き取らせるように構成する。
【００２３】
第１の無線通信部１２は第１の通信方式に従って無線通信を行うための無線通信I/Fである。第１の無線通信部１２は、送信機と受信機の間の距離、即ち、通信圏が、数ｃｍ程度かそれより短距離であるような近接無線通信を行うための無線通信I/Fである。第１の通信方式はそのような近接無線通信に好適な無線通信方式であり、例えば、NFC (Near Field Communication)、ZigBeeが考えられる。
【００２４】
第２の無線通信部１３は、第２の通信方式に従って無線通信を行うための無線通信I/Fである。第２の無線通信部１３は、第１の無線通信部１２よりも電波の到達距離が長く、広い通信圏を有する。また、第２の無線通信部１３は、第１の無線通信部１２よりも高速な無線通信を行うことが好ましい。第２の通信方式はそのような無線通信に好適な無線通信方式であり、例えば、Wi-Fi、Bluetoothが考えられる。
【００２５】
制御部１４は、第１の無線通信部１２、第２の無線通信部１３を含む第１の無線通信装置１０の各部の動作を制御するプロセッサである。
【００２６】
ケーブル１５は第１の無線通信部１２と制御部１４とを電気的に接続するためのケーブルである。
【００２７】
第２の無線通信装置２０の各部について説明する。筐体２１は第２の無線通信装置２０の各部を収容する筐体である。第１の無線通信装置１０における第１の無線通信部１２とは異なり、筐体２１は第１の無線通信部２２も収容する。
【００２８】
第１の無線通信部２２は、第１の無線通信装置１０における第１の無線通信部１２に対応し、第１の無線通信部１２と同様に、第１の通信方式に従って近接無線通信を行うための無線通信I/Fである。第１の無線通信部１２と第１の無線通信部２２の間には第１の通信方式に従って第１の通信経路３１を確立することができる。
【００２９】
第２の無線通信部２３は、第１の無線通信装置１０における第２の無線通信部１３に対応し、第２の無線通信部１３と同様に、第２の通信方式に従って無線通信を行うための無線通信I/Fである。第２の無線通信部１３と第２の無線通信部２３の間には第２の通信方式に従って第２の通信経路３２を確立することができる。
【００３０】
制御部２４は、第１の無線通信部２２、第２の無線通信部２３、記憶部２５を含む第２の無線通信装置２０の各部の動作を制御するプロセッサである。
【００３１】
次に、無線通信システム１の動作について図３を参照して説明する。今、第１の無線通信装置１０と第２の無線通信装置２０は、第１の無線通信部１２、２２の間では通信できない程度に互いに離間し、かつ、第２の無線通信部１３、２３の間では通信可能な程度に互いに離間して配置されているものとする。上述のように、第１の無線通信部１２、２２は近接無線通信を行うための無線通信I/Fであり、第２の無線通信部１３、２３はそれよりも長距離で無線通信を行うための無線通信I/Fである。このため、第１の無線通信装置１０と第２の無線通信装置２０とをこのような位置関係で配置することが可能である。
【００３２】
この時点では、第２の無線通信部１３、２３の間に第２の通信経路３２を確立していてもよいし、確立していなくてもよい。ただし、既に第２の通信経路３２を確立している場合、第２の通信経路３２を介した通信は禁止されているものとする。このような、第２の通信経路３２を介した通信の制限は、第２の無線通信装置２０の側で制御部２４が行うこととしてもよい。或いは、第１の無線通信装置１０の側で制御部１４が行うこととしてもよい。或いは、制御部１４、２４が連携して行うこととしてもよい。以下では、制御部２４が第２の通信経路３２を介したデータ通信の可否を制御するものして説明する。いずれにしても、最初の時点では、第２の無線通信部１３、２３は互いの通信圏内にあるものの、通信を行わない。
【００３３】
まず、第１の無線通信装置１０の筐体１１からケーブル１５を延ばし、第１の無線通信部１２を第１の無線通信部２２に近づけていく（ステップＳ１）。
【００３４】
第１の無線通信部１２、２２間の距離が次第に短くなり、互いの通信圏内に入ると、第１の無線通信部１２と第１の無線通信部２２との間に第１の通信経路３１を確立する（ステップＳ２）。第１の通信経路３１を確立するのに先立って、認証処理は行わなくともよい。認証処理を行わない場合、第１の無線通信部１２、２２は、単に、互いの通信圏内に入り次第、第１の通信経路３１を確立する。
【００３５】
第１の通信経路３１の確立は、第２の通信経路３２を介した通信の実行を許可するための認証の手法として機能する。この許可に応じて、第２の通信経路３２が未確立の場合、第２の無線通信部１３、２３は互いの間に第２の通信経路３２を確立する。第２の通信経路３２が既に確立しているものの通信を制限している場合には、その制限を解除する。そして第２の通信経路３２を介したデータ通信を開始する（ステップＳ３）。上述のように、第２の通信経路３２は第１の通信経路３１よりも高速なため、第２の通信経路３２の確立後は高速な無線データ通信を行うことができる。
【００３６】
第２の無線通信部１３、２３が第２の通信経路３２を介してデータ通信を行っている間、第１の無線通信部１２、２２は、一定時間毎に、第１の通信経路３１が維持されているか確認する（ステップＳ４）。第１の通信経路３１が維持されている場合、第２の通信経路３２はそのまま維持される。
【００３７】
言い換えると、筐体１１にケーブル１５を介して接続された第１の無線通信部１２と、筐体２１内に配置された第１の無線通信部２２との間の距離が、互いの通信圏内にあるほどに近い場合、第２の通信経路３２は維持される。従って、第２の通信経路３２を介してデータ通信が可能な状態が維持される。
【００３８】
他方、ステップＳ４にて第１の通信経路３１が維持されていないことを検知すると、制御部２４は第２の無線通信部２３に第２の通信経路３２を介したデータ通信を中断させる（ステップＳ５）。即ち、制御部２４は、第２の無線通信部２３に第２の通信経路３２を解放させる。或いは、制御部２４は、第２の無線通信部２３に第２の通信経路３２を維持させつつも、第２の通信経路３２経由のデータ通信を中断させる。その結果、第１の無線通信装置１０と第２の無線通信装置２０の間の第２の通信経路３２を介したデータ通信は実行不可能な状態となる。
【００３９】
言い換えると、筐体１１にケーブル１５を介して接続された第１の無線通信部１２と、筐体２１内に配置された第１の無線通信部２２との間の距離が、互いの通信圏外になるほどに離れた場合、第２の通信経路３２を介したデータ通信はできなくなる。
【００４０】
このように、無線通信システム１では、第１の無線通信部１２と第１の無線通信部２２とが互いの通信圏内にあることと、第２の通信経路３２を介したデータ通信が可能な状態とが対応する。一方、第１の無線通信部１２と第１の無線通信部２２とが互いの通信圏内にないことと、第２の通信経路３２を介したデータ通信が不可能な状態とが対応する。また、第１の無線通信装置１０において、第１の無線通信部１２はケーブル１５を介して筐体１１に接続されている。
【００４１】
このため、第１の無線通信部１２と第１の無線通信部２２とを互いの通信圏内まで近づけて配置したとき、第１の無線通信装置１０と第２の無線通信装置２０とがあたかもケーブル１５で有線接続されているかのような外観をなす一方、第１の無線通信部１２と第１の無線通信部２２とを互いの通信圏外まで遠ざけたとき、その有線接続が切断されたかのような外観をなす。
【００４２】
このような外観を提示することにより、無線通信システム１によれば、第１の無線通信装置１０と第２の無線通信装置２０の間に第２の通信経路３２が確立しているか否かを、第１の無線通信装置１０と（第２の無線通信装置２０を収容した）筐体２０の位置関係として視覚的にユーザに提示することができる。
【００４３】
次に、上述の実施形態の一変形である無線通信システム２について説明する。上述の無線通信システム１では、第１の通信経路３１の確立に先立って、第２の通信経路３２は確立していてもよいし、していなくてもよいものとして説明した。ここで説明する無線通信システム２では、第１の通信経路３１の確立に先立って第２の通信経路３２は確立しない。
【００４４】
図４に示すように、無線通信システム２では、第２の無線通信装置２０は記憶部２５を更に備える。記憶部２５は、第２の通信方式に従って第２の無線通信部２３と無線通信を行うために必要な設定情報２６を格納する記憶装置である。記憶装置の種類は問わない。例えば、半導体記憶装置のようなメモリ装置であってもよいし、固定磁気ディスク装置のようなストレージ装置であってもよい。設定情報２６は、第２の通信経路３２を確立するのに先立って、第２の無線通信部２３が相手の無線通信装置に対して要求する認証情報、例えば識別情報、パスワードが含まれる。更に、設定情報２６には、IEEE 802.11a、IEEE 802.11b、IEEE 802.11g、IEEE 802.11n、IEEE 802.11acといったWi-Fi規格の種類や、周波数帯、チャネル、OFDM（直交周波数分割多重）方式、MIMO（空間多重）方式といった伝送方式、搬送波数、伝送速度、WEP (Wired Equivalent Privacy)、WPA2-PSK、WPA/WPA2-PSK、WPA/WPA2-PSKといった無線通信のためのセキュリティ方式に関する情報等を含むこととしてもよい。以下、設定情報２６のうち、認証情報以外の情報を総称して通信諸元と呼ぶものとする。
【００４５】
次に、無線通信システム２の動作について説明する。今、第１の無線通信装置１０と第２の無線通信装置２０は、第１の無線通信部１２、２２の間では通信できない程度に互いに離間し、かつ、第２の無線通信部１３、２３の間では通信可能な程度に互いに離間して配置されているものとする。上述のように、第１の無線通信部１２、２２は近接無線通信を行うための無線通信I/Fであり、第２の無線通信部１３、２３はそれよりも長距離で無線通信を行うための無線通信I/Fである。このため、第１の無線通信装置１０と第２の無線通信装置２０とをこのような位置関係で配置することが可能である。
【００４６】
この時点で、第２の無線通信部１３、２３は互いの通信圏内にあるが、第２の無線通信部１３、２３の間には第２の通信経路３２を確立していない。このため、無線通信システム２は第２の通信経路３２を介したデータ通信を実行できない状態にある。
【００４７】
図５を参照すると、まず、第１の無線通信装置１０の筐体１１からケーブル１５を延ばし、第１の無線通信部１２を第１の無線通信部２２に近づけていく（ステップＳ２１）。
【００４８】
第１の無線通信部１２、２２間の距離が次第に短くなり、互いの通信圏内に入ると、第１の無線通信部１２と第１の無線通信部２２との間に第１の通信経路３１を確立する（ステップＳ２２）。第１の通信経路３１を確立するのに先立って、認証処理は行わなくともよい。認証処理を行わない場合、第１の無線通信部１２、２２は、単に、互いの通信圏内に入り次第、第１の通信経路３１を確立する。
【００４９】
ステップＳ２２で確立した第１の通信経路３１を介して、第２の無線通信装置２０から第１の無線通信装置１０に設定情報２６を送信する（ステップＳ２３）。即ち、第２の無線通信装置２０では、第１の通信経路３１の確立の検知に応じて、制御部２４は、記憶部２５から設定情報２６を読み出す。そして、制御部２４は、第１の無線通信部２２を用いて第１の通信経路３１を介して第１の無線通信部１２に設定情報２６を送信する。
【００５０】
次に、第１の無線通信装置１０において、制御部１４は、第２の無線通信部１３により、設定情報２６に含まれる認証情報に基づく接続要求を、第２の無線通信部２３に対して行う（ステップＳ２４）。上述のように、設定情報２６には、第２の通信経路３２を確立するのに先立って、第２の無線通信部２３が相手の無線通信装置に対して要求する認証情報が含まれている。制御部１４は、第１の無線通信部１２にて受信した設定情報２６から認証情報を抽出する。そして、制御部１４は、抽出した認証情報を用いて、第２の無線通信部１３に第２の無線通信部２３への接続要求を実行させる。
【００５１】
次に、第２の無線通信装置２０において、第２の無線通信部１３から送信された認証情報に基づいて、制御部２４は、第２の無線通信部２３への接続要求を許可する（ステップＳ２５）。即ち、制御部２４は、第２の無線通信部２３で受信した接続要求に含まれる認証情報と、記憶部２５に格納している設定情報２６に含まれる認証情報とを比較して、接続要求を許可するか否かを判定する。
【００５２】
認証に成功すると、第２の無線通信部１３と第２の無線通信部２３との間に第２の通信経路３２を確立（ステップＳ２６）し、第１の無線通信装置１０と第２の無線通信装置２０との間で、第２の通信経路３２を介したデータ通信を行う（ステップＳ２７）。上述のように、第２の通信経路３２は第１の通信経路３１よりも高速なため、第２の通信経路３２の確立後は高速な無線データ通信を行うことができる。尚、認証に失敗した場合には、第２の通信経路３２を確立しない。
【００５３】
このように、第２の無線通信部２３は、設定情報２６に含まれる認証情報に基づく認証処理を経て、第２の通信経路３２の確立を許可する。第１の通信経路３１を確立する際の認証は必須ではないが、第２の通信経路３２を確立する際の認証は必須である。このため、第１の無線通信装置１０は、第２の無線通信部１３、２３が互いの通信圏内にある場合であっても、第１の通信経路３１を介して設定情報２６を予め受信しない限り、第２の無線通信装置２０と第２の通信経路３２を介してデータ通信を行うことはできない。
【００５４】
また、第２の通信経路３２が確立するときの無線通信システム１の状況を見ると、図１に示すように、筐体１１からケーブル１５が第２の無線通信装置２０に向かって延びて、無線通信システム１の中において、第１の無線通信部１２、２２がごく近い位置に配置された状況となっている。このような状況は、見たものに対して、あたかも第１の無線通信装置１０と第２の無線通信装置２０とが、ケーブル１５を介して有線接続しているかのような錯覚を与える。
【００５５】
第２の無線通信部１３、２３が第２の通信経路３２を介してデータ通信を行っている間、第１の無線通信部１２、２２は、一定時間毎に、第１の通信経路３１が維持されているか確認する（ステップＳ２８）。第１の通信経路３１が維持されている場合、第２の通信経路３２はそのまま維持される。
【００５６】
言い換えると、筐体１１にケーブル１５を介して接続された第１の無線通信部１２と、筐体２１内に配置された第１の無線通信部２２との間の距離が、互いの通信圏内にあるほどに近い場合、第２の通信経路３２は維持される。従って、第２の通信経路３２を介してデータ通信が可能な状態が維持される。
【００５７】
他方、ステップＳ２８にて第１の通信経路が維持されていないことを検知すると、制御部２４は第２の無線通信部２３に第２の通信経路３２を解放させる（ステップＳ９）。その結果、第１の無線通信装置１０と第２の無線通信装置２０の間の第２の通信経路３２を介したデータ通信は継続できない状態となり、実行中の通信は切断される。
【００５８】
言い換えると、筐体１１にケーブル１５を介して接続された第１の無線通信部１２と、筐体２１内に配置された第１の無線通信部２２との間の距離が、互いの通信圏外になるほどに離れた場合、第２の通信経路３２は解放され、実行中のデータ通信は切断される。
【００５９】
このように、無線通信システム２では、第１の無線通信部１２と第１の無線通信部２２とが互いの通信圏内にあることと、第２の通信経路３２の確立とが対応する。一方、第１の無線通信部１２と第１の無線通信部２２とが互いの通信圏外にあることと、第２の通信経路３２の未確立とが対応する。
【００６０】
次に、無線通信システム１の一変形である無線通信システム４０について説明する。図６、図７を参照すると、無線通信システム４０は、それぞれが第２の無線通信装置２０に対応する複数の第２の無線通信装置２０−１、２０−２、２０−３、…、２０−Ｎ（Ｎは２以上の自然数）を備える点で無線通信システム１と異なる。このようなシステムの例としては、パチンコ店、パチスロ店等におけるパチンコ台、パチスロ台等の遊技機（第２の無線通信装置２０−１、２０−２、２０−３、…、２０−Ｎに対応する）と、その設定等を行う店舗端末（第１の無線通信装置１０に対応する）がある。
【００６１】
尚、図６、図７には、第１の無線通信装置１０、第２の無線通信装置２０−１、２０−２、２０−３、…、２０−Ｎの構成を簡略化したものが記載されているが、どの無線通信装置も、無線通信システム１において対応するものと同様の構成を有するものとする。例えば、図６、図７には、第２の無線通信部１３、制御部１４を図示していないが、無線通信システム４０の第１の無線通信装置１０もこれらを備えるものとする。
【００６２】
同様に、図６、図７の第２の無線通信装置２０−１、２０−２、２０−３、…、２０−Ｎには、筐体２１、第１の無線通信部２２、第２の無線通信部２３、制御部２４を図示していないが、これらも設けられているものとする。以下、これら不図示の要素について第２の無線通信装置２０−１、２０−２、２０−３、…、２０−Ｎのいずれかを指定して言及する際には、筐体２１、第１の無線通信部２２、第２の無線通信部２３、制御部２４の各参照符号の後ろに続けて補助の参照符号を追加して言及する。例えば第２の無線通信装置２０−１であれば、筐体２１−１、第１の無線通信部２２−２、第２の無線通信部２３−１、制御部２４−１を備える。第２の無線通信装置２０−２、２０−３、…、２０−Ｎについても同様である。
【００６３】
動作についても基本的には無線通信システム１と同様である。即ち、無線通信システム４０の第１の無線通信装置１０は無線通信システム１の第１の無線通信装置１０と同様に動作する。第２の無線通信装置２０−１、２０−２、２０−３、…、２０−Ｎは、それぞれ無線通信システム１の第２の無線通信装置２０と同様に動作する。
【００６４】
今、第１の無線通信装置１０の第２の無線通信部１３は、第２の無線通信装置２０−１、２０−２、２０−３、…、２０−Ｎの第２の無線通信部２３−１、２３−２、…、２３−Ｎの通信圏内にあるものとする。逆に、第２の無線通信装置２０−１、２０−２、２０−３、…、２０−Ｎの第２の無線通信部２３−１、２３−２、…、２３−Ｎも、それぞれ、第１の無線通信装置１０の第２の無線通信部１３の通信圏内にある。通信圏４１、４２−１、４２−２、…４２−Ｎは、それぞれ順に、第１の無線通信部１２、２２−１、２２−２、…、２２−Ｎの通信圏を示す。
【００６５】
最初に、図６に示すように、第１の無線通信装置１０の第１の無線通信部１２と、第２の無線通信装置２０−１の第１の無線通信部２２−１とは、互いの通信圏内にある。このとき、無線通信システム１に関して説明したように、第１の無線通信部１２と第１の無線通信部２２−１との間には第１の通信経路３１−１が確立され、これに応じて、第２の通信経路３２−１を介したデータ通信が可能な状態となる。
【００６６】
上述したように、第１の無線通信部１２の通信圏は数ｃｍ程度かそれより短距離なので、このとき、第１の無線通信部２２−１、２２−２、…、２２−Ｎのうち、第１の無線通信部１２に最も近い距離にあるのが、第２の無線通信装置２０−１の筐体２１−１の中にある第１の無線通信部２２−１であることは視覚的に容易に区別することができる。その結果、無線通信システム４０は、第２の通信経路３２−１経由のデータ通信を実行中であることを視覚的に提示することができる。
【００６７】
また、このとき、ケーブル１５は、あたかも、筐体１１と第２の無線通信装置２０−１の間を有線接続しているかのように両者の間を繋いでいる（かのように見える）ので、このことによっても、無線通信システム４０は、第２の通信経路３２−１経由のデータ通信を実行中であることを視覚的に提示することができる。
【００６８】
図６に示した位置関係から第１の無線通信部１２を移動させた状態を図７に示す。図示したように、第１の無線通信部１２の移動に伴って通信圏４１が移動し、最も近い位置にある他の第１の無線通信部が、第１の無線通信部２２−１から第１の無線通信部２２−２に代わる。これに応じて、第２の通信経路３２−１経由のデータ通信を終了し、代わって第２の通信経路３２−２経由のデータ通信を実行する。
【００６９】
また、第１の無線通信部１２の移動に伴ってケーブル１５が延びる向きも変わる。今度は、ケーブル１５は、あたかも、筐体１１と第２の無線通信装置２０−２の間を繋いでいるかのように見える。実際には、第１の無線通信部１２、２２は無線通信を行っているので、有線接続はされていない。
【００７０】
このように、第１の無線通信装置１０が、第２の無線通信装置２０−１、２０−２、２０−３、…、２０−Ｎのうちどれとの間で第２の通信経路３２経由のデータ通信を実行しているのかを、第１の無線通信部１２の位置とケーブル１５が延びる向きによって視覚的に提示することができる。
【００７１】
また、第１の無線通信部１２、２２を互いの通信圏内まで近づけることを、第２の通信経路経由のデータ通信を実行する際の認証手法として用いているので、ユーザは、単に第１の無線通信部１２を第１の無線通信部２２に近づけるだけで第２の通信経路を介した高速なデータ通信を行うことができる。
【００７２】
以上、本発明を実施の形態及びその変形に即して説明したが、本発明はこれに限定されるものではない。
【００７３】
例えば、無線通信システム２では、第２の通信経路３２を確立するための設定情報２６を格納する記憶部２５を第２の無線通信装置２０に設けて、第１の通信経路３１を介して、第２の無線通信装置２０から第１の無線通信装置１０に設定情報２６を通知した。しかし、第２の通信経路を確立するための設定情報を格納しておく記憶部を、必ずしも第２の無線通信装置２０に設ける必要はなく、第１の無線通信装置１０に設けることとしてもよいことは、当業者には明らかであろう。
【００７４】
第２の通信経路３２のための設定情報を記憶する記憶部を第１の無線通信装置１０に設ける場合、第１の通信経路３１を介して、第１の無線通信装置１０から第２の無線通信装置２０に設定情報を通知する。第２の無線通信装置２０は、通知された設定情報を用いて、第１の無線通信装置１０に第２の通信経路３２による接続要求を行う。第１の無線通信装置１０は、接続要求に含まれる認証情報と、自身の記憶部に格納している設定情報に含まれる認証情報とを比較し、一致する場合にのみ接続要求を許可して、第２の無線通信部１３、２３の間に第２の通信経路３２を確立する。
【００７５】
また、無線通信システム２において、第２の通信経路３２の確立を、第１の通信経路３１を介して送信した設定情報に基づくもののみに限定することとしてもよい。例えば、無線通信システム１において、制御部２４は、予め第１の通信経路３１を介して送信した設定情報に基づく認証情報を含む、第２の無線通信部２３に対する接続要求のみを許可する。その一方で、それ以外の接続要求を一律に不許可にすることとする。このようにすれば、例えば、第２の無線通信装置２０の管理者の目が届かない場所から、第２の無線通信部２３との間に第２の通信経路を確立しようとする試みを排除することができるので、セキュリティの向上を図ることができる。
【００７６】
また、第１の無線通信装置１０は、筐体１１から延びるケーブル１５の先端に第１の無線通信部１２を設けたものとなっているが、図８の第1の無線通信装置５１のように、アンテナ１２−１と、それ以外の主要部１２−２とに二分することとしてもよい。この場合、主要部１２−２を筐体１１に内蔵する一方、ケーブル１５を介して筐体１１の外部にアンテナ１２−１を延ばす。
【００７７】
この場合、第２の通信経路３２経由のデータ通信の可否に関して、無線通信システム１の第１の無線通信部１２に相当する機能を有するのはアンテナ１２−１のみであり、主要部１２−２の位置は第２の通信経路３２経由のデータ通信の可否に関与しない。
【００７８】
上記の実施形態の一部又は全部は以下の付記のようにも記載されうるが、これらに限定されるものではない。
【００７９】
（付記１）
第１の無線通信方式に従って無線通信を行うための第１の無線通信手段、
前記第１の無線通信方式とは異なる第２の無線通信方式に従って無線通信を行うための無線通信手段であって、前記第１の無線通信手段よりも通信圏が広い第２の無線通信手段、
筐体、及び、
前記筐体から外部に向かって延びて、前記第１の無線通信手段の少なくともアンテナを含む一部乃至全部と、前記筐体内の回路とを電気的に接続するケーブル
を備え、
前記第１の無線通信手段と、当該他の無線通信装置が備える前記第１の無線通信手段との間に確立される通信経路を第１の通信経路と呼び、前記第２の無線通信手段と、前記他の無線通信装置が備える前記第２の無線通信手段との間に確立される通信経路を第２の通信経路と呼ぶとき、
前記ケーブルに接続された前記第１の無線通信手段の一部乃至全部と、前記他の無線通信装置が備える前記第１の無線通信手段とが互いの通信圏内に入ったことに応じて、前記第１の通信経路を確立し、
前記第１の通信経路の確立に応じて、前記第２の通信経路を介した通信を実行不可能な状態から実行可能な状態に移行する
無線通信装置。
【００８０】
（付記２）
確立した前記第１の通信経路の解放に応じて、前記第２の通信経路を介した通信を実行不可能な状態に移行する
付記１に記載の無線通信装置。
【００８１】
（付記３）
前記第２の通信経路を介した通信を実行可能な状態は、前記第２の通信経路を確立し、かつ、前記第２の通信経路を介した通信を許可する状態であり、
前記第２の通信経路を介した通信を実行不可能な状態は、前記第２の通信経路を確立し、かつ、前記第２の通信経路を介した通信を制限する状態である、
付記１または付記２に記載の無線通信装置。
【００８２】
（付記４）
前記第２の通信経路を介した通信を実行可能な状態は、前記第２の通信経路を確立した状態であり、
前記第２の通信経路を介した通信を実行不可能な状態は、前記第２の通信経路を解放した状態である、
付記１または付記２に記載の無線通信装置。
【００８３】
（付記５）
前記第１の無線通信手段は、前記確立した第１の通信経路を介して、前記第２の通信経路を確立するための設定情報を、前記他の無線通信装置との間で送信或いは受信し、
前記第２の無線通信手段は、前記送信或いは受信した設定情報に基づいて、前記他の無線通信装置との間に前記第２の通信経路を確立する
付記４に記載の無線通信装置。
【００８４】
（付記６）
前記設定情報は認証のために用いる情報である認証情報を含み、
前記第１の通信経路の確立に先立って認証が行われることなく、かつ、前記第２の通信経路の確立に先立って、前記認証情報に基づく認証が行われる、付記５に記載の無線通信装置。
【００８５】
（付記７）
前記第１の無線通信手段は、前記確立した第１の通信経路を介して、前記他の無線通信装置から前記設定情報を受信し、
前記第２の無線通信手段は、前記受信した設定情報に基づいて、前記他の無線通信装置の前記第２の無線通信手段に対し、接続要求を送信する
付記５または付記６に記載の無線通信装置。
【００８６】
（付記８）
更に、前記設定情報を格納するための記憶手段を備え、
前記第１の無線通信手段は、前記確立した第１の通信経路を介して、前記他の無線通信装置に前記設定情報を送信し、
前記第２の無線通信手段は、前記送信した設定情報に基づいて、前記他の無線通信装置の前記第２の無線通信手段から受信した接続要求を了承するか否かを判定する
付記５乃至付記７のいずれかに記載の無線通信装置。
【００８７】
（付記９）
前記設定情報に基づいて許可された接続要求に応じてのみ、前記第２の通信経路の確立は許可される、付記５乃至付記８のいずれかに記載の無線通信装置。
【００８８】
（付記１０）
付記１乃至付記９のいずれかに記載の無線通信装置と共に用いられて、前記他の無線通信装置として動作する無線通信装置。
【００８９】
（付記１１）
情報処理装置、前記情報処理装置の周辺機器、遊技機、前記遊技機に接続して用いるための端末のいずれかである、付記１乃至付記１０のいずれかに記載の無線通信装置。
【００９０】
（付記１２）
第１及び第２の無線通信装置を備え、
前記第１の無線通信装置は、
第１の無線通信方式に従って無線通信を行うための第１の無線通信手段、
前記第１の無線通信方式とは異なる第２の無線通信方式に従って無線通信を行うための無線通信手段であって、前記第１の無線通信手段よりも通信圏が広い第２の無線通信手段、
筐体、及び、
前記筐体から外部に向かって延びて、前記第１の無線通信手段の少なくともアンテナを含む一部乃至全部と、前記筐体内の回路とを電気的に接続するケーブル
を備え、
前記第２の無線通信装置は、前記第１の無線通信手段及び前記第２の無線通信手段を備え、
前記第１の無線通信装置の前記第１の無線通信手段と、前記第２の無線通信装置の前記第１の無線通信手段との間に確立される通信経路を第１の通信経路と呼び、前記第１の無線通信装置の前記第２の無線通信手段と、前記第２の無線通信装置の前記第２の無線通信手段との間に確立される通信経路を第２の通信経路と呼ぶとき、
前記第１の無線通信装置において前記ケーブルに接続された前記第１の無線通信手段の一部乃至全部と、前記第２の無線通信装置の前記第１の無線通信手段とが互いの通信圏内に入ったことに応じて、前記第１の通信経路を確立し、
前記第１の通信経路の確立に応じて、前記第２の通信経路を介した通信を実行可能な状態に移行する
無線通信システム。
【００９１】
（付記１３）
確立した前記第１の通信経路の解放に応じて、前記第２の通信経路を介した通信を実行不可能な状態に移行する
付記１２に記載の無線通信システム。
【００９２】
（付記１４）
前記第２の通信経路を介した通信を実行可能な状態は、前記第２の通信経路を確立し、かつ、前記第２の通信経路を介した通信を許可する状態であり、
前記第２の通信経路を介した通信を実行不可能な状態は、前記第２の通信経路を確立し、かつ、前記第２の通信経路を介した通信を制限する状態である、
付記１２または付記１３に記載の無線通信システム。
【００９３】
（付記１５）
前記第２の通信経路を介した通信を実行可能な状態は、前記第２の通信経路を確立した状態であり、
前記第２の通信経路を介した通信を実行不可能な状態は、前記第２の通信経路を解放した状態である、
付記１２または付記１３に記載の無線通信システム。
【００９４】
（付記１６）
前記第１の無線通信手段は、前記確立した第１の通信経路を介して、前記第２の通信経路を確立するための設定情報を、前記他の無線通信装置との間で送信或いは受信し、
前記第２の無線通信手段は、前記送信或いは受信した設定情報に基づいて、前記他の無線通信装置との間に前記第２の通信経路を確立する
付記１５に記載の無線通信システム。
【００９５】
（付記１７）
前記設定情報は認証のために用いる情報である認証情報を含み、
前記第１の通信経路の確立に先立って認証が行われることなく、かつ、前記第２の通信経路の確立に先立って、前記認証情報に基づく認証が行われる、付記１５または付記１６に記載の無線通信システム。
【００９６】
（付記１８）
第２の無線通信装置は前記設定情報を格納するための記憶手段を備え、
前記第２の無線通信装置は、前記確立した第１の通信経路を介して、前記第１の無線通信装置に前記設定情報を送信し、
前記第１の無線通信装置は、受信した前記設定情報に基づいて、前記第２の無線通信装置に接続要求を送信し、
前記第２の無線通信装置は、受信した接続要求及び前記記憶手段に記憶した前記設定情報に基づいて、前記第２の通信経路を確立する
付記１５乃至付記１７のいずれかに記載の無線通信システム。
【００９７】
（付記１９）
前記第１の無線通信装置は、前記設定情報を格納するための記憶手段を備え、
前記第１の無線通信手段は、前記確立した第１の通信経路を介して、前記第２の無線通信装置に前記設定情報を送信し、
前記第２の無線通信装置は、受信した前記設定情報に基づいて、前記第１の無線通信装置に接続要求を送信し、
前記第１の無線通信装置は、受信した接続要求及び前記記憶手段に記憶した前記設定情報に基づいて、前記第２の通信経路を確立する
付記１５乃至付記１７のいずれかに記載の無線通信システム。
【００９８】
（付記２０）
前記設定情報に基づいて許可された接続要求に応じてのみ、前記第２の通信経路の確立は許可される、付記１５乃至付記１９のいずれかに記載の無線通信システム。
【００９９】
（付記２１）
前記第１の無線通信装置と前記第２の無線通信装置の組み合わせは、情報処理装置と情報処理装置、情報処理装置と前記情報処理装置に接続して用いる周辺機器、及び、遊技機と前記遊技機と接続して用いられる端末のいずれかである、付記１５乃至付記２０のいずれかに記載の無線通信システム。
【０１００】
（付記２２）
第１の無線通信装置と第２の無線通信装置の間で無線通信を行う無線通信方法において、
前記第１の無線通信装置は、
第１の無線通信方式に従って無線通信を行うための第１の無線通信手段、
前記第１の無線通信方式とは異なる第２の無線通信方式に従って無線通信を行うための無線通信手段であって、前記第１の無線通信手段よりも通信圏が広い第２の無線通信手段、
筐体、及び、
前記筐体から外部に向かって延びて、前記第１の無線通信手段の少なくともアンテナを含む一部乃至全部と、前記筐体内の回路とを電気的に接続するケーブル
を備え、
前記第２の無線通信装置は、前記第１の無線通信手段及び前記第２の無線通信手段を備え、
前記第１の無線通信装置の前記第１の無線通信手段と、前記第２の無線通信装置の前記第１の無線通信手段との間に確立される通信経路を第１の通信経路と呼び、前記第１の無線通信装置の前記第２の無線通信手段と、前記第２の無線通信装置の前記第２の無線通信手段との間に確立される通信経路を第２の通信経路と呼ぶとき、
前記第１の無線通信装置において前記ケーブルに接続された前記第１の無線通信手段の一部乃至全部と、前記第２の無線通信装置の前記第１の無線通信手段とが互いの通信圏内に入ったことに応じて、前記第１の通信経路を確立する段階、及び、
前記第１の通信経路の確立に応じて、前記第２の通信経路を介した通信を実行可能な状態に移行する段階
を含む、無線通信方法。
【０１０１】
（付記２３）
確立した前記第１の通信経路の解放に応じて、前記第２の通信経路を介した通信を実行不可能な状態に移行する付記２２に記載の無線通信方法。
【０１０２】
（付記２４）
前記第２の通信経路を介した通信を実行可能な状態は、前記第２の通信経路を確立し、かつ、前記第２の通信経路を介した通信を許可する状態であり、
前記第２の通信経路を介した通信を実行不可能な状態は、前記第２の通信経路を確立し、かつ、前記第２の通信経路を介した通信を制限する状態である、
付記２２または付記２３に記載の無線通信方法。
【０１０３】
（付記２５）
前記第２の通信経路を介した通信を実行可能な状態は、前記第２の通信経路を確立した状態であり、
前記第２の通信経路を介した通信を実行不可能な状態は、前記第２の通信経路を解放した状態である、
付記２２または付記２３に記載の無線通信方法。
【０１０４】
（付記２６）
前記第１の無線通信手段は、前記確立した第１の通信経路を介して、前記第２の通信経路を確立するための設定情報を、前記他の無線通信装置との間で送信或いは受信し、
前記第２の無線通信手段は、前記送信或いは受信した設定情報に基づいて、前記他の無線通信装置との間に前記第２の通信経路を確立する
付記２５に記載の無線通信方法。
【０１０５】
（付記２７）
前記設定情報は認証のために用いる情報である認証情報を含み、
前記第１の通信経路の確立に先立って認証が行われることなく、かつ、前記第２の通信経路の確立に先立って、前記認証情報に基づく認証が行われる、付記２５または付記２６に記載の無線通信方法。
【０１０６】
（付記２８）
第２の無線通信装置は前記設定情報を格納するための記憶手段を備え、
前記第２の無線通信装置は、前記確立した第１の通信経路を介して、前記第１の無線通信装置に前記設定情報を送信し、
前記第１の無線通信装置は、受信した前記設定情報に基づいて、前記第２の無線通信装置に接続要求を送信し、
前記第２の無線通信装置は、受信した接続要求及び前記記憶手段に記憶した前記設定情報に基づいて、前記第２の通信経路を確立する
付記２５乃至付記２７のいずれかに記載の無線通信方法。
【０１０７】
（付記２９）
前記第１の無線通信装置は、前記設定情報を格納するための記憶手段を備え、
前記第１の無線通信手段は、前記確立した第１の通信経路を介して、前記第２の無線通信装置に前記設定情報を送信し、
前記第２の無線通信装置は、受信した前記設定情報に基づいて、前記第１の無線通信装置に接続要求を送信し、
前記第１の無線通信装置は、受信した接続要求及び前記記憶手段に記憶した前記設定情報に基づいて、前記第２の通信経路を確立する
付記２５乃至付記２７のいずれかに記載の無線通信方法。
【０１０８】
（付記３０）
前記設定情報に基づいて許可された接続要求に応じてのみ、前記第２の通信経路の確立は許可される、付記２５乃至付記２９のいずれかに記載の無線通信方法。
【０１０９】
（付記３１）
前記第１の無線通信装置と前記第２の無線通信装置の組み合わせは、情報処理装置と情報処理装置、情報処理装置と前記情報処理装置に接続して用いる周辺機器、及び、遊技機と前記遊技機と接続して用いられる端末のいずれかである、付記２５乃至付記３０のいずれかに記載の無線通信方法。
【０１１０】
（付記３２）
第１の無線通信方式に従って無線通信を行うための第１の無線通信手段、
前記第１の無線通信方式とは異なる第２の無線通信方式に従って無線通信を行うための無線通信手段であって、前記第１の無線通信手段よりも通信圏が広い第２の無線通信手段、
筐体、及び、
前記筐体から外部に向かって延びて、前記第１の無線通信手段の少なくともアンテナを含む一部乃至全部と、前記筐体内の回路とを電気的に接続するケーブル
を備える無線通信装置の処理装置に、
前記第１の無線通信手段と、当該他の無線通信装置が備える前記第１の無線通信手段との間に確立される通信経路を第１の通信経路と呼び、前記第２の無線通信手段と、前記他の無線通信装置が備える前記第２の無線通信手段との間に確立される通信経路を第２の通信経路と呼ぶとき、
前記ケーブルに接続された前記第１の無線通信手段の一部乃至全部と、前記他の無線通信装置が備える前記第１の無線通信手段とが互いの通信圏内に入ったことに応じて、前記第１の通信経路を確立する手順、及び、
前記第１の通信経路の確立に応じて、前記第２の通信経路を介した通信を実行可能な状態に移行する手順
を実行させるプログラム。
【０１１１】
（付記３３）
確立した前記第１の通信経路の解放に応じて、前記第２の通信経路を介した通信を実行不可能な状態に移行する手順を、前記無線通信装置の処理装置に実行させる、付記３２に記載のプログラム。
【０１１２】
（付記３４）
前記第２の通信経路を介した通信を実行可能な状態は、前記第２の通信経路を確立し、かつ、前記第２の通信経路を介した通信を許可する状態であり、
前記第２の通信経路を介した通信を実行不可能な状態は、前記第２の通信経路を確立し、かつ、前記第２の通信経路を介した通信を制限する状態である、
付記３２または付記３３に記載のプログラム。
【０１１３】
（付記３５）
前記第２の通信経路を介した通信を実行可能な状態は、前記第２の通信経路を確立した状態であり、
前記第２の通信経路を介した通信を実行不可能な状態は、前記第２の通信経路を解放した状態である、
付記３２または付記３３に記載のプログラム。
【０１１４】
（付記３６）
前記第１の無線通信手段は、前記確立した第１の通信経路を介して、前記第２の通信経路を確立するための設定情報を、前記他の無線通信装置との間で送信或いは受信し、
前記第２の無線通信手段は、前記送信或いは受信した設定情報に基づいて、前記他の無線通信装置との間に前記第２の通信経路を確立する
付記３５に記載のプログラム。
【０１１５】
（付記３７）
前記設定情報は認証のために用いる情報である認証情報を含み、
前記第１の通信経路の確立に先立って認証が行われることなく、かつ、前記第２の通信経路の確立に先立って、前記認証情報に基づく認証が行われる、
付記３５または付記３６に記載のプログラム。
【０１１６】
（付記３８）
前記第１の無線通信手段は、前記確立した第１の通信経路を介して、前記他の無線通信装置から前記設定情報を受信する手順、及び、
前記第２の無線通信手段は、前記受信した設定情報に基づいて、前記他の無線通信装置の前記第２の無線通信手段に対し、接続要求を送信する手順
を、前記無線通信装置の処理装置に実行させる、付記３５乃至付記３７のいずれかに記載のプログラム。
【０１１７】
（付記３９）
前記無線通信装置は前記設定情報を格納するための記憶手段を備え、
前記第１の無線通信手段は、前記確立した第１の通信経路を介して、前記他の無線通信装置に前記設定情報を送信する手順、及び、
前記第２の無線通信手段は、前記送信した設定情報に基づいて、前記他の無線通信装置の前記第２の無線通信手段から受信した接続要求を了承するか否かを判定する手順
を、前記無線通信装置の処理装置に実行させる、付記３５乃至付記３７のいずれかに記載のプログラム。
【０１１８】
（付記４０）
前記設定情報に基づいて許可された接続要求に応じてのみ、前記第２の通信経路の確立は許可される、付記３５乃至付記３９のいずれかに記載のプログラム。
【０１１９】
（付記４１）
付記３２乃至付記４０のいずれかに記載のプログラムに従って動作する無線通信装置と共に用いられる前記他の無線通信装置として、無線通信装置の処理装置を動作させるプログラム。
【０１２０】
（付記４２）
前記無線通信装置は、情報処理装置、前記情報処理装置の周辺機器、遊技機、前記遊技機に接続して用いるための端末のいずれかである、付記３５乃至付記４１のいずれかに記載のプログラム。
【符号の説明】
【０１２１】
１、２、４０、５０  無線通信システム
１０、５１  第１の無線通信装置
１１、２１  筐体
１２、２２  第１の無線通信部
１２−１  アンテナ
１２−２  第１の無線通信部主要部
１３、２３  第２の無線通信部
１４、２４  制御部
１５  ケーブル
２０、２０−１、２０−２、２０−３、…、２０−Ｎ  第２の無線通信装置
２５  記憶部
２６  設定情報
３１、３１−１、３１−２  第１の通信経路
３２、３２−１、３２−２  第２の通信経路
４１、４２−１、４２−２、…４２−Ｎ  通信圏
【図１】
2018133771.tif 000003
【図２】
2018133771.tif 000004
【図３】
2018133771.tif 000005
【図４】
2018133771.tif 000006
【図５】
2018133771.tif 000007
【図６】
2018133771.tif 000008
【図７】
2018133771.tif 000009
【図８】
2018133771.tif 000010